(57)【特許請求の範囲】
【請求項１】
ペニスの茎部に引き戻された包皮の上に装着する所定の厚さを有する軟質ゴム製の帯状リングからなり、該帯状リングの内周側にはその長さ方向に沿って上下一対の溝部が形成されており、さらに帯状リングの亀頭側には帯状リングの外側に別途該帯状リングよりも幅の狭い軟質ゴム製の脱落防止リングを取り付けたことを特徴とする包茎用サポーター。
【請求項２】
帯状リングの内周側に形成した上下一対の溝部が、ペニスの尿道を確保するスペースとして利用できるようにしてなることを特徴とする請求項１記載の包茎用サポーター。
【請求項３】
帯状リングの外側において帯状リングの亀頭側に取り付けた軟質ゴム製の脱落防止リングが、該帯状リングの亀頭とは反対側において帯状リングに連結一体化されていることを特徴とする請求項１または２記載の包茎用サポーター。
【発明の詳細な説明】
【技術分野】
【０００１】
この発明は仮性包茎の人の包皮の戻りを一部阻止して、亀頭を露出させた状態を維持するために使用する包茎用サポーターに関する。
【背景技術】
【０００２】
従来の包茎用サポーターとしては、下記のような種類のものが提案されている。
１）粘着シートでペニスの茎部に包皮を貼り付けて保持するようにしたもの。
実開昭５５−１７３３２２号公報（特許文献１参照）、特開平９−１４０７３７号公報（特許文献２参照）
２）リング状の器具でペニスの茎部に包皮を保持するようにしたもの。
特開平６−１９７９１３号公報（特許文献３参照）、特開平９−７５３８４号公報（特許文献４参照）、実開昭６４−３９７１６号公報（特許文献５参照）、
３）筒状の器具でペニスの茎部に包皮を保持するようにしたもの。
実開昭６３−５３５１８号公報（特許文献６参照）、特開２００２−２５３５８８号公報（特許文献７参照）
【特許文献１】実開昭５５−１７３３２２号公報
【特許文献２】特開平９−１４０７３７号公報
【特許文献３】特開平６−１９７９１３号公報
【特許文献４】特開平９−７５３８４号公報
【特許文献５】実開昭６４−３９７１６号公報
【特許文献６】実開昭６３−５３５１８号公報
【特許文献７】特開２００２−２５３５８８号公報
【発明の開示】
【発明が解決しようとする課題】
【０００３】
しかしながら、１）の粘着シートからなる包茎用サポーターにおいてはペニスが粘着材によってかぶれたり、外す際に傷ついてしまったりするおそれがあった。
また２）、３）のリング状や筒状の器具でペニスの茎部を締め付ける構造においては、ペニスと同時に尿道が圧迫されてしまって長時間の使用に耐えるものではなく、使用中に小用を足したり、性行為をする際に障害となってしまうという欠点があった。
【０００４】
この発明は上記した欠点を解消するためのもので、陰茎の大小に適応しやすく、装着時の異物感もない上、尿道が圧迫されることがないので長時間の使用に耐えることができ、また使用中に小用を足したり、性行為をする際にも障害となることのない包茎用サポーターの提供を目的とするものである。
【課題を解決するための手段】
【０００５】
すなわちこの発明の包茎用サポーターは、ペニスの茎部に引き戻された包皮の上に装着する所定の厚さを有する軟質ゴム製の帯状リングからなり、該帯状リングの内周側にはその長さ方向に沿って上下一対の溝部が形成されており、さらに帯状リングの亀頭側には帯状リングの外側に別途該帯状リングよりも幅の狭い軟質ゴム製の脱落防止リングを取り付けたことを特徴とするものである。
【０００６】
この発明の包茎用サポーターは、前記帯状リングの内周側に形成した上下一対の溝部が、ペニスの尿道を確保するスペースとして利用できるようにしてなることをも特徴とするものである。
【０００７】
この発明の包茎用サポーターは、前記帯状リングの外側において帯状リングの亀頭側に取り付けた軟質ゴム製の脱落防止リングが、該帯状リングの亀頭とは反対側において帯状リングに連結一体化されていることをも特徴とするものである。
【発明の効果】
【０００８】
この発明の包茎用サポーターは以下のような効果を奏するものである。
（Ａ）ペニスの茎部に折り返された包皮が、この発明の帯状リングで覆われて保持されるため、包皮がペニスの茎部に留まるような癖がつきやすく、亀頭部が常に露出されて清潔に保つことができる。
（Ｂ）この発明においては、帯状リングの内周側に形成した上下一対の溝部がペニスの尿道を確保する上、溝部の両側において所定の円弧状を保ちながら、溝部の薄肉部が伸張するので、尿道が圧迫されることがないために長時間の使用に耐えることができ、また使用中に小用を足したり、性行為をする際にも障害となることがない。
（Ｃ）この発明の帯状リングはよく伸びるので個人個人のペニスの大小にも適応しやすく、勃起時にも異物感が少ない。
（Ｄ）この発明の帯状リングの亀頭側には、帯状リングの外側に別途該帯状リングよりも幅の狭い軟質ゴム製の脱落防止リングを取り付けたので、前記帯状リングが溝部の両側において所定の円弧状を保ちながらペニスを締め付けることと相まって、ペニスへの包茎用サポーターの装着を確実なものとしてその脱落を防止することができる。
また性交時には、ペニスからの包茎用サポーターの脱落を防止する機能以上に亀頭部を充血させ、勃起を促す働きをする。
【発明を実施するための最良の形態】
【０００９】
以下この発明の包茎用サポーターの実施の形態を、図面に基いて詳細に説明する。
図１はこの発明の包茎用サポーターの１実施例を示す正面図、図２はその背面図、図３はその縦断面図、図４はその斜視図、図５は使用状態の縦断面図、図６は使用状態の横断面図である。
【００１０】
図１ないし図4において、この発明の包茎用サポーター１１はペニスの茎部に引き戻された包皮の上に装着することが可能な、例えば２．５〜１０ｍｍ程度の厚さを有する軟質ゴム製の帯状リング１２からなるものである。この軟質ゴム素材としては長さ方向に数倍以上の伸張力を有するシリコンゴム弾性体とすることが望ましい。もちろん、同様の性質を備えたものであれば何らシリコンゴム弾性体に限定されるものではない。
【００１１】
該帯状リング１２は亀頭側に向かってつぼまるテーパ状に形成され、かつその内周側にはその長さ方向に沿って上下一対の溝部１３が形成されている。この溝部１３は数ｍｍ程度の幅を有し、また溝部１３の肉厚は帯状リング１２の肉厚の１／３程度とすることが望ましい。
溝部１３をこのようにしたことにより、帯状リング１２が拡径する際には溝部１３以外は円弧状を保ったまま、薄肉の溝部１３において伸張する。したがって、帯状リング１２が拡径する場合においても、溝部１３の本来の目的である尿道の確保については何ら損なわれることがない。
【００１２】
なお、溝部１３を上下一対としたことについては、帯状リング１２が拡径する際に溝部１３以外は円弧状を保ったまま薄肉の溝部１３において伸張するという機能を効果的に果たすという作用がある。１４は溝部１３の長さ方向に沿ってその外周上に形成したリブであり、この発明の包茎用サポーター１１をペニスの尿道にあわせて正しく装着できるようにするためのものである。
【００１３】
次に、前記帯状リング１２の亀頭側には、帯状リング１２の外周上に、別途帯状リング１２よりも幅の狭い軟質ゴム製の脱落防止リング１５が取り付けてある。この脱落防止リング１５は、前記帯状リング１２が溝部１３の両側において所定の円弧状を保ちながらペニスを締め付けることと相まって、ペニスへの包茎用サポーター１１の装着を確実なものとしてその脱落を防止する作用がある。
また性交時には、ペニスからの包茎用サポーター１１の脱落を防止する機能以上に亀頭部を充血させ、勃起を促す働きをするものである。
【００１４】
なお、前記帯状リング１２の外側において帯状リング１２の亀頭側に取り付けた軟質ゴム製の脱落防止リング１５は、前記帯状リング１２の亀頭とは反対側において帯状リング１２に連結一体化したものとすることができる。こうすることによって、脱落防止リング１５を帯状リング１２と別に操作する必要がなく、また製造や組立も容易で大幅なコスト削減につながる。
【００１５】
この発明の包茎用サポーター１１の使用に際しては、図５および図６に示すように包皮２３を亀頭２４から剥がしてペニス２１の茎部２２上に折り返し、その上から包茎用サポーター１１の帯状リング１２を装着する。
装着に際しては、前記リブ１４を目印にして帯状リング１２内周の溝部１３が尿道に沿うように取り付ける。この状態で所定時間保持することにより、包皮がペニス２１の茎部２２に留まるような癖がつきやすく、包茎を治癒することができるようになる。また亀頭２４部分が常に露出されているので清潔に保つことが可能となる。
【００１６】
その際、帯状リング１２の外周上に設けた脱落防止リング１５により、包茎用サポーター１１の装着が安定し、かつその脱落を確実に防ぐことができる。
また性交時には、ペニス２１からの包茎用サポーター１１の脱落を防止する機能以上に亀頭２４部分を充血させ、勃起を促す働きをする。
【００１７】
帯状リング１２のペニス２１への装着および取外しは、帯状リング１２を構成する軟質ゴム素材が長さ方向に数倍以上の伸張力を有するものであるため、帯状リング１２を引き伸ばしながら簡単に行なうことができる。
もちろん包茎用サポーター１１は連続的に長時間着用することは避けることが望ましく、また常に乾燥した状態で、かつ頻繁に除菌して使用することが望ましい。
【産業上の利用可能性】
【００１８】
この発明の包茎用サポーターは、単に仮性包茎の治療のためだけでなく、ペニスの勃起を促して正常な性交を行ないやすくするペニスサポーターとしても使用することが可能である。
【図面の簡単な説明】
【００１９】
【図１】この発明の包茎用サポーターの１実施例を示す正面図である。
【図２】その背面図である。
【図３】その縦断面図である。
【図４】その斜視図である。
【図５】使用状態の縦断面図である。
【図６】使用状態の横断面図である。
【符号の説明】
【００２０】
１１  包茎用サポーター
１２  帯状リング
１３  溝部
１４  リブ
１５  脱落防止リング
２１  ペニス
２２  茎部
２３  包皮
２４  亀頭
【図１】
0004948281.tif 000002
【図２】
0004948281.tif 000003
【図３】
0004948281.tif 000004
【図４】
0004948281.tif 000005
【図５】
0004948281.tif 000006
【図６】
0004948281.tif 000007